【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
（Ａ）式：
2009191272.tif 000001
［式中、Ｘは、フッ素原子、塩素原子、臭素原子、ヨウ素原子、ＣＦＸ1Ｘ2基（但し、Ｘ1およびＸ2は、水素原子、フッ素原子または塩素原子である。）、シアノ基、炭素数１〜２０の直鎖状または分岐状のフルオロアルキル基、置換または非置換のベンジル基、置換または非置換のフェニル基、
Ｙは、炭素数１〜１０の脂肪族基、炭素数６〜１０の芳香族基または環状脂肪族基、−ＣＨ2ＣＨ2Ｎ(Ｒ1)ＳＯ2−基（但し、Ｒ1は炭素数１〜４のアルキル基である。）または−ＣＨ2ＣＨ(ＯＹ1)ＣＨ2−基（但し、Ｙ1は水素原子またはアセチル基である。）、
Ｒｆは炭素数１〜６の直鎖状または分岐状のパーフルオロアルキル基である。］
で示される含フッ素単量体から誘導された繰り返し単位、
（Ｂ）フッ素原子を含まない単量体であって、炭素-炭素二重結合を有する単量体から誘導された構成単位、および
（Ｃ）必要により存在する、架橋性単量体から誘導された構成単位
を有して成る含フッ素重合体を含んでなる表面処理剤。
【請求項２】
構成単位（Ａ）において、Ｒｆ基の炭素数が１〜４である請求項１に記載の表面処理剤。
【請求項３】
構成単位（Ｂ）を形成するフッ素原子を含まない単量体が、エチレン、酢酸ビニル、ハロゲン化ビニリデン、アクリロニトリル、スチレン、ポリエチレングリコール(メタ)アクリレート、ポリプロピレングリコール(メタ)アクリレート、メトキシポリエチレングリコール(メタ)アクリレート、メトキシポリプロピレングリコール(メタ)アクリレート、ビニルアルキルエーテル、イソプレン、および炭素数１〜３０のアルキル基を含有する（メタ）アクリル酸エステルからなる群から選択された請求項１または２記載の表面処理剤。
【請求項４】
構成単位（Ｂ）を形成するフッ素原子を含まない単量体が、一般式：
ＣＨ２＝ＣＡ１ＣＯＯＡ２
［式中、Ａ１は水素原子またはメチル基、Ａ２は炭素数１〜３０の炭化水素基である。］
で表わされるアクリレートである請求項１〜３のいずれかに記載の表面処理剤。
【請求項５】
構成単位(Ｃ)を形成する架橋性単量体が、少なくとも２つの反応性基および／または炭素-炭素二重結合を有し、フッ素を含有しない単量体である請求項１〜４のいずれかに記載の表面処理剤。
【請求項６】
含フッ素重合体において、含フッ素単量体１００重量部に対して、フッ素原子を含まない単量体の量が０．１〜５０重量部であり、架橋性単量体の量が２０重量部以下である請求項１〜５のいずれかに記載の表面処理剤。
【請求項７】
溶液、エマルションまたはエアゾールの形態である請求項１〜６のいずれかに記載の表面処理剤。
【請求項８】
（Ａ）式：
2009191272.tif 000002
［式中、Ｘは、フッ素原子、塩素原子、臭素原子、ヨウ素原子、ＣＦＸ1Ｘ2基（但し、Ｘ1およびＸ2は、水素原子、フッ素原子または塩素原子である。）、シアノ基、炭素数１〜２０の直鎖状または分岐状のフルオロアルキル基、置換または非置換のベンジル基、置換または非置換のフェニル基、
Ｙは、炭素数１〜１０の脂肪族基、炭素数６〜１０の芳香族基または環状脂肪族基、−ＣＨ2ＣＨ2Ｎ(Ｒ1)ＳＯ2−基（但し、Ｒ1は炭素数１〜４のアルキル基である。）または−ＣＨ2ＣＨ(ＯＹ1)ＣＨ2−基（但し、Ｙ1は水素原子またはアセチル基である。）、
Ｒｆは炭素数１〜４の直鎖状または分岐状のパーフルオロアルキル基である。］
で示される含フッ素単量体から誘導された繰り返し単位、
（Ｂ）フッ素原子を含まない単量体であって、炭素-炭素二重結合を有する単量体から誘導された構成単位、および
（Ｃ）必要により存在する、架橋性単量体から誘導された構成単位
を有して成る含フッ素重合体。
【請求項９】
構成単位（Ａ）において、Ｒｆ基の炭素数が１〜４である請求項８に記載の含フッ素重合体。
【請求項１０】
構成単位（Ｂ）を形成するフッ素原子を含まない単量体が、エチレン、酢酸ビニル、ハロゲン化ビニリデン、アクリロニトリル、スチレン、ポリエチレングリコール(メタ)アクリレート、ポリプロピレングリコール(メタ)アクリレート、メトキシポリエチレングリコール(メタ)アクリレート、メトキシポリプロピレングリコール(メタ)アクリレート、ビニルアルキルエーテル、イソプレン、および炭素数１〜３０のアルキル基を含有する（メタ）アクリル酸エステルからなる群から選択された請求項８または９に記載の含フッ素重合体。
【請求項１１】
構成単位（Ｂ）を形成するフッ素原子を含まない単量体が、一般式：
ＣＨ２＝ＣＡ１ＣＯＯＡ２
［式中、Ａ１は水素原子またはメチル基、Ａ２は炭素数１〜３０の炭化水素基である。］
で表わされるアクリレートである請求項８〜１０のいずれかに記載の含フッ素重合体。
【請求項１２】
含フッ素単量体１００重量部に対して、フッ素原子を含まない単量体の量が０．１〜５０重量部であり、架橋性単量体の量が２０重量部以下である請求項８〜１１のいずれかに記載の含フッ素重合体。
【請求項１３】
請求項１〜７のいずれかに記載の表面処理剤で被処理物を処理する方法。
【請求項１４】
被処理物が、繊維製品、石材、フィルター、防塵マスク、燃料電池、ガラス、紙、木、皮革、毛皮、石綿、レンガ、セメント、金属および酸化物、窯業製品、プラスチック、塗面またはプラスターである請求項１３に記載の方法。
【請求項１５】
請求項１〜７のいずれかに記載の表面処理剤で処理された繊維製品。
【請求項１６】
請求項１〜７のいずれかに記載の表面処理剤で処理されたカーペット。
【請求項１７】
（Ａ）式：
2009191272.tif 000003
［式中、Ｘは、フッ素原子、塩素原子、臭素原子、ヨウ素原子、ＣＦＸ1Ｘ2基（但し、Ｘ1およびＸ2は、水素原子、フッ素原子または塩素原子である。）、シアノ基、炭素数１〜２０の直鎖状または分岐状のフルオロアルキル基、置換または非置換のベンジル基、置換または非置換のフェニル基、
Ｙは、炭素数１〜１０の脂肪族基、炭素数６〜１０の芳香族基または環状脂肪族基、−ＣＨ2ＣＨ2Ｎ(Ｒ1)ＳＯ2−基（但し、Ｒ1は炭素数１〜４のアルキル基である。）または−ＣＨ2ＣＨ(ＯＹ1)ＣＨ2−基（但し、Ｙ1は水素原子またはアセチル基である。）、
Ｒｆは炭素数１〜６の直鎖状または分岐状のパーフルオロアルキル基である。］
で示される含フッ素単量体から誘導された繰り返し単位、
（Ｂ）フッ素原子を含まない単量体であって、炭素-炭素二重結合を有する単量体から誘導された構成単位、および
（Ｃ）必要により存在する、架橋性単量体から誘導された構成単位
を有して成る含フッ素重合体を含んでなる表面処理剤であって、
構成単位（Ｂ）を形成するフッ素原子を含まない単量体が、エチレン、酢酸ビニル、ハロゲン化ビニリデン、アクリロニトリル、スチレン、ポリエチレングリコール(メタ)アクリレート、ポリプロピレングリコール(メタ)アクリレート、メトキシポリエチレングリコール(メタ)アクリレート、メトキシポリプロピレングリコール(メタ)アクリレート、ビニルアルキルエーテル、イソプレン、および炭素数１〜３０のアルキル基を含有する（メタ）アクリル酸エステルからなる群から選択された単量体であり、
構成単位(Ｃ)を形成する架橋性単量体が、少なくとも２つの反応性基および／または炭素-炭素二重結合を有し、フッ素を含有しない単量体である表面処理剤。